(57)【要約】成形品の平面度を高くすることができ、品質を向上させることができるディスク成形用金型及びディスク基板の成形方法を提供する。第１の鏡面盤と、該第１の鏡面盤に取り付けられたスタンパ（２９）と、前記第１の鏡面盤と対向させて配設され、型締め時に第１の鏡面盤との間にキャビティ空間を形成する第２の鏡面盤と、前記スタンパ（２９）と摺動する面を有し、前記第１の鏡面盤の外周縁の近傍に、径方向外方にかけて前記キャビティ空間側に突出させて形成される調整部材とを有する。ディスク基板の全体が冷却されるときに、収縮する量が、外周縁の近傍において少なく、他の部分において多くなっても、ディスク基板の厚さが外周縁の近傍で大きくなるのを防止することができる。【特許請求の範囲】
【請求項１】
（ａ）第１の鏡面盤と、
（ｂ）該第１の鏡面盤に取り付けられたスタンパと、
（ｃ）前記第１の鏡面盤と対向させて配設され、型締め時に第１の鏡面盤との間にキャビティ空間を形成する第２の鏡面盤と、
（ｄ）前記スタンパと摺動する面を有し、前記第１の鏡面盤の外周縁の近傍に、径方向外方にかけて前記キャビティ空間側に突出させて形成される調整部材とを有することを特徴とするディスク成形用金型。
【請求項２】
前記面はテーパ面である請求項１に記載のディスク成形用金型。
【請求項３】
前記面は湾曲させて形成される請求項１に記載のディスク成形用金型。
【請求項４】
前記調整部材は、内周縁がディスク基板の外周縁から０．２〜２〔ｍｍ〕径方向内方に位置するように配設される請求項１に記載のディスク成形用金型。
【請求項５】
前記調整部材の外周縁の厚さは、内周縁の厚さより１０〜５０〔μｍ〕大きくされる請求項１に記載のディスク成形用金型。
【請求項６】
前記調整部材は、前記第１の鏡面盤より熱伝導性が低い材料によって形成される請求項１に記載のディスク成形用金型。
【請求項７】
第１の鏡面盤、該第１の鏡面盤に取り付けられたスタンパ、及び前記第１の鏡面盤と対向させて配設され、型締め時に第１の鏡面盤との間にキャビティ空間を形成する第２の鏡面盤を備えたディスク成形用金型に配設される調整部材において、
（ａ）前記スタンパと摺動する面を有し、
（ｂ）前記第１の鏡面盤の外周縁の近傍に、径方向外方にかけて前記キャビティ空間側に突出させて形成されることを特徴とする調整部材。
【請求項８】
前記面はテーパ面である請求項７に記載の調整部材。
【請求項９】
前記面は湾曲させて形成される請求項７に記載の調整部材。
【請求項１０】
内周縁がディスク基板の外周縁から０．２〜２〔ｍｍ〕径方向内方に位置するように配設される請求項７に記載の調整部材。
【請求項１１】
外周縁の厚さは、内周縁の厚さより１０〜５０〔μｍ〕大きくされる請求項７に記載の調整部材。
【請求項１２】
前記第１の鏡面盤より熱伝導性が低い材料によって形成される請求項７に記載の調整部材。
【請求項１３】
可動側の金型組立体及び固定側の金型組立体のうちの一方の金型組立体に配設されたスタンパの微細パターンを転写してディスク基板を成形する成形方法において、
（ａ）可動側の金型組立体を固定側の金型組立体に向けて移動させ、
（ｂ）前記可動側の金型組立体と固定側の金型組立体との間に、成形材料を充填するためのキャビティ空間を形成し、
（ｃ）該キャビティ空間に成形材料を充填するのに伴って、前記スタンパが、前記一方の金型組立体と接触した状態で膨張したときに、ディスク基板の外周方向に向けての厚さの
変動を調整するための調整部材によってスタンパを摺動させ、
（ｄ）前記キャビティ空間内の成形材料を冷却し、
（ｅ）該成形材料が冷却するのに伴って、前記スタンパが、前記一方の金型組立体との接触した状態で収縮したときに、前記調整部材によってスタンパを摺動させ、
（ｆ）前記可動側の金型組立体を固定側の金型組立体から離れる方向に移動させることを特徴とするディスク基板の成形方法。
【発明の詳細な説明】
【技術分野】
【０００１】
本発明は、ディスク成形用金型、調整部材及びディスク基板の成形方法に関するものである。
【背景技術】
【０００２】
従来、成形機、例えば、射出成形機においては、加熱シリンダ内において加熱され溶融させられた樹脂を、高圧で射出して金型装置のキャビティ空間に充填し、該キャビティ空間内において冷却して固化させた後、成形品を取り出すようになっている。【０００３】
前記射出成形機は前記金型装置、型締装置及び射出装置を有し、前記型締装置は、固定プラテン及び可動プラテンを備え、型締用モータによって可動プラテンを進退させることにより金型装置の型閉じ、型締め及び型開きを行う。【０００４】
一方、前記射出装置は、前記加熱シリンダ、及び溶融させられた樹脂を射出する射出ノズルを備え、前記加熱シリンダ内にスクリューが回転自在に、かつ、進退自在に配設される。そして、計量用モータを駆動してスクリューを回転させると、ホッパから加熱シリンダ内に供給された樹脂が加熱され、溶融させられて、スクリューヘッドより前方に溜められ、それに伴って、スクリューが後退させられる。次に、射出用モータを駆動して前記スクリューを前進させると、スクリューヘッドより前方に溜められた樹脂が射出ノズルから射出され、前記キャビティ空間に充填される。【０００５】
ところで、前記成形品としてディスク基板を成形する場合、前記金型装置を構成する固定側の金型組立体にスタンパが取り付けられ、キャビティ空間に充填される樹脂にスタンパの微細パターンが転写されるようになっている（例えば、特許文献１参照。）。
【特許文献１】特開平１０−１６６３９６号公報
【発明の開示】
【発明が解決しようとする課題】
【０００６】
しかしながら、前記従来の金型装置においては、樹脂はキャビティ空間の中央に形成されたゲートに供給された後、キャビティ空間を径方向外方に向けて流れるようになっているが、このとき、金型装置の外周縁が外気に触れているので、樹脂の温度は、キャビティ空間の外周縁の近傍において他の部分より低くなり、外周縁の近傍の樹脂は、密度が高い状態で固化し、他の部分の樹脂は、密度が低い状態で固化してしまう。【０００７】
したがって、その後、型開きが行われ、ディスク基板の全体が冷却されると、収縮する量が、キャビティ空間の外周縁の近傍において、密度が高い分だけ少なく、他の部分において、密度が低い分だけ多くなり、ディスク基板の厚さが外周縁の近傍で１０〜２０〔μｍ〕大きくなり、ディスク基板の平面度が低くなり、品質が低下してしまう。【０００８】
本発明は、前記従来の金型装置の問題点を解決して、ディスク基板の平面度を高くする
ことができ、品質を向上させることができるディスク成形用金型、調整部材及びディスク基板の成形方法を提供することを目的とする。
【課題を解決するための手段】
【０００９】
そのために、本発明のディスク成形用金型においては、第１の鏡面盤と、該第１の鏡面盤に取り付けられたスタンパと、前記第１の鏡面盤と対向させて配設され、型締め時に第１の鏡面盤との間にキャビティ空間を形成する第２の鏡面盤と、前記スタンパと摺動する面を有し、前記第１の鏡面盤の外周縁の近傍に、径方向外方にかけて前記キャビティ空間側に突出させて形成される調整部材とを有する。【００１０】
本発明の他のディスク成形用金型においては、さらに、前記面はテーパ面である。【００１１】
本発明の更に他のディスク成形用金型においては、さらに、前記面は湾曲させて形成される。【００１２】
本発明の更に他のディスク成形用金型においては、さらに、前記調整部材は、内周縁がディスク基板の外周縁から０．２〜２〔ｍｍ〕径方向内方に位置するように配設される。【００１３】
本発明の更に他のディスク成形用金型においては、さらに、前記調整部材の外周縁の厚さは、内周縁の厚さより１０〜５０〔μｍ〕大きくされる。【００１４】
本発明の更に他のディスク成形用金型においては、さらに、前記調整部材は、前記第１の鏡面盤より熱伝導性が低い材料によって形成される。【００１５】
本発明の調整部材においては、第１の鏡面盤、該第１の鏡面盤に取り付けられたスタンパ、及び前記第１の鏡面盤と対向させて配設され、型締め時に第１の鏡面盤との間にキャビティ空間を形成する第２の鏡面盤を備えたディスク成形用金型に配設されるようになっている。【００１６】
そして、前記スタンパと摺動する面を有し、前記第１の鏡面盤の外周縁の近傍に、径方向外方にかけて前記キャビティ空間側に突出させて形成される。【００１７】
本発明の他の調整部材においては、さらに、前記面はテーパ面である。【００１８】
本発明の更に他の調整部材においては、さらに、前記面は湾曲させて形成される。【００１９】
本発明の更に他の調整部材においては、さらに、内周縁がディスク基板の外周縁から０．２〜２〔ｍｍ〕径方向内方に位置するように配設される。【００２０】
本発明の更に他の調整部材においては、さらに、外周縁の厚さは、内周縁の厚さより１０〜５０〔μｍ〕大きくされる。【００２１】
本発明の更に他の調整部材においては、さらに、前記第１の鏡面盤より熱伝導性が低い材料によって形成される。【００２２】
本発明のディスク基板の成形方法においては、可動側の金型組立体及び固定側の金型組立体のうちの一方の金型組立体に配設されたスタンパの微細パターンを転写してディスク基板を成形するようになっている。【００２３】
そして、可動側の金型組立体を固定側の金型組立体に向けて移動させ、前記可動側の金
型組立体と固定側の金型組立体との間に、成形材料を充填するためのキャビティ空間を形成し、該キャビティ空間に成形材料を充填するのに伴って、前記スタンパが、前記一方の金型組立体と接触した状態で膨張したときに、ディスク基板の外周方向に向けての厚さの変動を調整するための調整部材によってスタンパを摺動させ、前記キャビティ空間内の成形材料を冷却し、該成形材料が冷却するのに伴って、前記スタンパが、前記一方の金型組立体との接触した状態で収縮したときに、前記調整部材によってスタンパを摺動させ、前記可動側の金型組立体を固定側の金型組立体から離れる方向に移動させる。
【発明の効果】
【００２４】
本発明によれば、ディスク成形用金型においては、第１の鏡面盤と、該第１の鏡面盤に取り付けられたスタンパと、前記第１の鏡面盤と対向させて配設され、型締め時に第１の鏡面盤との間にキャビティ空間を形成する第２の鏡面盤と、前記スタンパと摺動する面を有し、前記第１の鏡面盤の外周縁の近傍に、径方向外方にかけて前記キャビティ空間側に突出させて形成される調整部材とを有する。【００２５】
この場合、前記第１の鏡面盤の外周縁の近傍に調整部材が形成され、該調整部材は、スタンパと摺動する面を有するので、ディスク基板の全体が冷却されるときに、収縮する量が、キャビティ空間の外周縁の近傍において、密度が高い分だけ少なくなり、他の部分において、密度が低い分だけ多くなっても、ディスク基板の厚さがキャビティ空間の外周縁の近傍で大きくなるのを防止することができる。したがって、ディスク基板の平面度を高くすることができ、品質を向上させることができる。【００２６】
また、厚さ調整部材と第１の鏡面盤との間に段差が形成されないので、スタンパの裏面が段差によって繰り返し擦られることがなくなる。したがって、スタンパの裏面の外周縁の近傍が局部的に摩耗するのを抑制することができるので、スタンパの温度に局部的なむらが形成されるのを防止することができる。その結果、局部的な複屈折むら、ランド・グルーブの形状崩れ等が発生するのを防止することができ、ディスク基板の品質を向上させることができる。
【図面の簡単な説明】
【００２７】
【図１】本発明の第１の実施の形態における金型装置の要部を示す断面図である。
【図２】本発明の第１の実施の形態における金型装置の断面図である。
【図３】本発明の第２の実施の形態における金型装置の要部を示す断面図である。
【符号の説明】
【００２８】
１０    金型装置
１６、３６    鏡面盤
２９    スタンパ
５２    厚さ調整部材
ｐ１    内周縁
ｐ３    外周縁
ｓ１    前端面
【発明を実施するための最良の形態】
【００２９】
図１は本発明の第１の実施の形態における金型装置の要部を示す断面図、図２は本発明の第１の実施の形態における金型装置の断面図である。【００３０】
図において、１０は金型装置、１１は固定プラテン、１２は、該固定プラテン１１に取り付けられた固定金型としての、かつ、第１の金型組立体としての固定側の金型組立体、３２は、図示されない可動プラテンに取り付けられた可動金型としての、かつ、第２の金
型組立体としての可動側の金型組立体であり、前記金型組立体１２、３２によって前記金型装置１０が構成される。前記可動プラテンの後方には、図示されない型締機構が配設され、該型締機構は、例えば、型締用の駆動部としての型締用モータ、トグル機構等から成り、前記型締用モータを駆動し、トグル機構を作動させることによって前記可動プラテンを進退させ、前記金型組立体３２を進退（図２において左右方向に移動）させ、金型組立体１２と接離させることによって、金型装置１０の型閉じ、型締め及び型開きを行うことができる。そして、型締めが行われると、前記金型組立体１２と金型組立体３２との間に図示されないキャビティ空間が形成される。なお、前記固定プラテン１１、可動プラテン、型締機構等によって型締装置が構成される。【００３１】
前記金型組立体１２は、第１の支持部材としてのベースプレート１５、該ベースプレート１５に取り付けられた第１の鏡面盤としての鏡面盤１６、該鏡面盤１６より径方向外方に配設され、前記ベースプレート１５に取り付けられた第１の外周リングとしての環状のガイドリング１８、前記ベースプレート１５及び鏡面盤１６を貫通して軸方向に延在させて配設されたスプルーブッシュ２４を備える。【００３２】
該スプルーブッシュ２４の中心には、射出装置２１において、シリンダ部材としての加熱シリンダ２２の前端（図２において左端）に取り付けられた射出ノズル２３から射出された成形材料としての樹脂を通すスプルー２６が形成される。また、前記スプルーブッシュ２４には、前端をキャビティ空間に臨ませて配設され、前端に凹部から成るダイ２８が形成される。【００３３】
ところで、前記キャビティ空間に樹脂を供給し、固化させると、成形品としてのディスク基板の原型となる原型基板が形成されるが、このとき、ディスク基板の一方の面に微小な凹凸が形成され、情報面が形成されるようになっている。そのために、前記鏡面盤１６の前端面（図２において左端面）に、中央に穴が形成され、表面に微細パターンが形成された入れ子としての円盤状のスタンパ２９が取り付けられる。該スタンパ２９は、前端面に微小な凹凸が形成され、外周縁がアウタホルダ３１によって、内周縁がインナホルダ６０によって、鏡面盤１６に押し付けられ、保持される。なお、前記金型組立体１２には、図示されない固定側エアブローブシュ等も配設される。また、スタンパを金型組立体３２に配設することができる。【００３４】
一方、前記金型組立体３２は、第２の支持部材としてのベースプレート３５、該ベースプレート３５に取り付けられた第２の鏡面盤としての鏡面盤３６、該鏡面盤３６より径方向外方に配設された第２の外周リングとしての環状のガイドリング３８、前記ベースプレート３５及び鏡面盤３６を貫通して軸方向に延在させて、かつ、前記スプルーブッシュ２４と対向させて進退自在に配設されたカットパンチ４８を備え、該カットパンチ４８の前端（図２において右端）は前記ダイ２８に対応する形状を有する。【００３５】
また、前記鏡面盤３６における鏡面盤１６と対向する面の外周縁には、成形されるディスク基板の厚さに対応する分だけ鏡面盤１６側に突出させて、図示されない環状のキャビリングが配設される。【００３６】
そして、前記カットパンチ４８より後方（図２において左方）には図示されない穴開け加工用の駆動部としての図示されない駆動シリンダが配設され、該駆動シリンダを駆動することによって前記カットパンチ４８を前進（図２において右方向に移動）させることができるようになっている。【００３７】
なお、前記金型組立体３２には、図示されないエジェクタブシュ、エジェクタピン、可動側エアブローブシュ等も配設される。【００３８】
前記構成の金型装置１０において、前記型締用モータを駆動して前記可動プラテンを前進させ、金型組立体３２を前進させると、型閉じが行われるとともに、ガイドリング１８、３８がいんろう結合され、前記キャビリング及び鏡面盤３６と鏡面盤１６及びスタンパ２９との心合せが行われる。そして、前記型締用モータを更に駆動して型締めを行い、型締状態において、前記射出ノズル２３から溶融させられた樹脂が射出されると、樹脂は、前記スプルー２６を介してキャビティ空間に充填され、続いて、冷却されて原型基板になる。なお、前記ガイドリング１８、３８をいんろう結合するために、ガイドリング１８の内周側及びガイドリング３８の外周側に環状の凹部１８ａ、３８ａがそれぞれ形成され、凹部１８ａより径方向外方に第１のテーパ面１８ｂが、凹部３８ａより径方向内方に第２のテーパ面３８ｂが形成される。なお、前記キャビティ空間内の樹脂を冷却するために、前記鏡面盤１６、３６内に図示されない温調用流路が形成される。【００３９】
続いて、前記駆動シリンダを駆動することによってカットパンチ４８を前進させると、該カットパンチ４８の前端がダイ２８内に進入し、前記キャビティ空間内の原型基板に穴開け加工を施す。そして、穴開け加工が施された原型基板を更に冷却することによって、ディスク基板が成形される。【００４０】
次に、前記型締用モータを駆動して、可動プラテンを後退させて金型組立体３２を後退（図２において左方向に移動）させ、型開きを行うとともに、前記エジェクタピンを前進させ、ディスク基板を突き出して金型組立体３２から離型させる。このようにして、ディスク基板を取り出すことができる。【００４１】
ところで、樹脂は射出ノズル２３から射出されると、スプルー２６内を流れ、キャビティ空間の中央に形成されたゲートに供給された後、キャビティ空間内を径方向外方に向けて流れる。このとき、前記金型装置１０の外周縁が外気に触れているので、樹脂の温度はキャビティ空間の外周縁の近傍において他の部分より低くなり、前記キャビティ空間の外周縁の近傍の樹脂は、密度が高い状態で固化し、他の部分の樹脂は、密度が低い状態で固化することになる。【００４２】
したがって、その後、型開きが行われ、ディスク基板の全体が冷却されると、収縮する量が、キャビティ空間の外周縁の近傍において、密度が高い分だけ少なく、他の部分において、密度が低い分だけ多くなるが、これに伴って、ディスク基板の厚さが前記キャビティ空間の外周縁の近傍で大きくなると、ディスク基板の平面度が低くなり、品質が低下してしまう。【００４３】
そこで、鏡面盤１６、３６の少なくとも一方、本実施の形態においては、鏡面盤１６におけるスタンパ２９と当接する前端面の外周縁の近傍を、前方（図２において左方）、すなわち、金型組立体３２側に向けて突出させるようにしている。【００４４】
そのために、本実施の形態においては、鏡面盤１６におけるスタンパ２９と当接する前端面の外周縁の近傍に環状の溝５１が形成され、該溝５１に、ディスク基板の外周方向に向けての厚さの変動を調整するための環状の調整部材としての厚さ調整部材５２が取り付けられる。該厚さ調整部材５２の前端面ｓ１には、内周縁ｐ１から中央部分ｐ２まで、キャビティ空間側に向けて、すなわち、前方に向けて突出させて形成され、スタンパ２９の収縮に対して摺動する面（以下「摺動面」という。）が形成される。該摺動面は、内周縁ｐ１から所定の距離にわたって径方向外方に向けて、かつ、鏡面盤１６の前端面と平行に延びる平坦部ｓａ、該平坦部ｓａの外周縁から所定の距離にわたって径方向外方に向けて、かつ、傾斜して中央部分ｐ２まで延びる傾斜部ｓｂ、及び該傾斜部ｓｂの外周縁から所定の距離にわたって径方向外方に向けて、かつ、鏡面盤１６の前端面と平行にスタンパ２
９の外周縁まで延びる平坦部ｓｃを備える。【００４５】
また、溝５１内に厚さ調整部材５２を配設したときに、該厚さ調整部材５２の内周縁ｐ１において鏡面盤１６との間に段差が形成されないように、溝５１の内周縁の深さと厚さ調整部材５２の内周縁ｐ１の厚さとが等しくされる。なお、前記前端面ｓ１を、径方向内方から外方に向けて同じ傾きで形成してテーパ面とすることができるが、前端面ｓ１を湾曲させて、前記内周縁ｐ１の部分の傾き及び中央部分ｐ２の部分の傾きを零（０）にし、内周縁ｐ１から外方に向けて傾きを徐々に大きくした後、中央部分ｐ２にかけて傾きを徐々に小さくすることもできる。すなわち、前記前端面ｓ１が形成されるので、キャビティ空間に樹脂を充填したときの、前記スタンパ２９の外周方向への延びによる摺動が容易になる。【００４６】
また、前記厚さ調整部材５２は、内周縁ｐ１がディスク基板の外周縁から０．２〜２〔ｍｍ〕程度径方向内方に位置するように配設され、かつ、中央部分ｐ２から厚さ調整部材５２の外周縁ｐ３にかけての厚さは内周縁ｐ１の厚さより１０〜５０〔μｍ〕程度大きくされる。【００４７】
このように、鏡面盤１６の外周縁の近傍に、キャビティ空間に樹脂を充填した際に、前記スタンパの外周方向への延びによる摺動を容易にするためのテーパ面を備えた厚さ調整部材５２が配設されるので、キャビティ空間の外周縁の近傍における厚さが、他の部分より１０〜５０〔μｍ〕程度薄くなる。したがって、型開きが行われ、ディスク基板の全体が冷却されるときに、収縮する量が、キャビティ空間の外周縁の近傍において、密度が高い分だけ少なく、他の部分において、密度が低い分だけ多くなっても、ディスク基板の厚さが前記キャビティ空間の外周縁の近傍で大きくなるのを防止することができる。その結果、ディスク基板の平面度を高くすることができ、品質を向上させることができる。【００４８】
ところで、成形が行われている間、キャビティ空間に樹脂が間欠的に充填され、続いて、冷却されるので、スタンパ２９は加熱及び冷却が繰り返され、膨張と収縮とが繰り返されるが、前記内周縁ｐ１において、鏡面盤１６との間に段差が形成されないので、前記鏡面盤３６との間にキャビティ空間を形成する厚さ調整部材５２及び鏡面盤１６の形状に沿ってスタンパ２９が取り付けられることになる。したがって、スタンパ２９の裏面が段差によって繰り返し擦られることがなくなり、スタンパ２９の裏面の外周縁の近傍が局部的に摩耗するのを抑制することができるので、スタンパ２９の温度に局部的なむらが形成されるのを防止することができる。その結果、ディスク基板に局部的な複屈折むら、ランド・グルーブの形状崩れ等が発生するのを防止することができ、ディスク基板の品質を向上させることができる。【００４９】
また、前記段差が形成されると、段差の部分において鏡面盤１６とスタンパ２９と厚さ調整部材５２との間に環状の空間が形成され、スタンパ２９の膨張と収縮とが繰り返されるのに伴って、前記環状の空間がスタンパ２９と接触する部分がそのたびに移動する。その結果、スタンパ２９の温度に局部的なむらが形成されてしまう。ところが、本実施の形態においては、段差が形成されないので、スタンパ２９と鏡面盤１６及び厚さ調整部材５２との熱伝達を安定させることができ、スタンパ２９の温度に局部的なむらが形成されるのを防止することができる。したがって、ディスク基板に局部的な複屈折むら、ランド・グルーブの形状崩れ等が発生するのを一層防止することができ、ディスク基板の品質を一層向上させることができる。【００５０】
本実施の形態においては、厚さ調整部材５２を鏡面盤１６と同じ材料で形成するようになっているが、厚さ調整部材５２を鏡面盤１６より熱伝導性の低い材料、断熱性を有する材料等で形成することができる。この場合、キャビティ空間の外周縁の近傍の樹脂の温度
が他の部分より低くなるのを防止することができるので、樹脂が、キャビティ空間内の外周縁の近傍において、密度が高い状態で固化するのを防止することができる。【００５１】
したがって、その後、型開きが行われ、ディスク基板の全体が冷却されるときに、キャビティ空間の外周縁の近傍において、収縮する量が他の部分より小さくなるのを防止することができるので、ディスク基板の平面度を高くすることができ、品質を向上させることができる。【００５２】
ところで、本実施の形態においては、厚さ調整部材５２に平坦部ｓａを形成する必要があるので、傾斜部ｓｂを加工するのが困難であり、厚さ調整部材５２のコストが高くなってしまう。【００５３】
そこで、厚さ調整部材５２のコストを低くすることができるようにした本発明の第２の実施の形態について説明する。なお、第１の実施の形態と同じ構造を有するものについては、同じ符号を付与することによってその説明を省略する。【００５４】
図３は本発明の第２の実施の形態における金型装置の要部を示す断面図である。【００５５】
この場合、前記前端面ｓ１に形成される摺動面は、内周縁ｐ１から所定の距離にわたって径方向外方に向けて、かつ、傾斜して傾斜部ｓｄ、及び該傾斜部ｓｄの外周縁から所定の距離にわたって径方向外方に向けて、かつ、鏡面盤１６の前端面と平行にスタンパ２９の外周縁まで延びる平坦部ｓｅを備える。【００５６】
したがって、キャビティ空間に樹脂を充填させたとき、前記スタンパ２９の外周方向への延びによる摺動が容易になる。【００５７】
その結果、傾斜部ｓｄを容易に加工することができ、厚さ調整部材５２のコストを低くすることができる。【００５８】
前記構成のディスク成形金型を使用してディスク基板を成形する成形方法においては、金型組立体３２を金型組立体１２に向けて移動させ、金型組立体３２と金型組立体２３との間にキャビティ空間を形成し、該キャビティ空間に樹脂を充填するのに伴って、スタンパ２９が、前記金型組立体１２と接触した状態で膨張したときに、厚さ調整部材５２によってスタンパ２９が摺動させられる。そして、前記キャビティ空間内の樹脂を冷却すると、ディスク基板が成形される。このとき、樹脂が冷却するのに伴って、前記スタンパ２９が、前記金型組立体１２と接触した状態で収縮するが、前記厚さ調整部材５２によってスタンパ２９が摺動させられる。【００５９】
続いて、前記金型組立体３２が金型組立体１２から離れる方向に移動させられる。【００６０】
前記各実施の形態においては、ディスク基板からの熱伝達に伴い、スタンパ２９が膨張したり収縮したりする場合について説明しているが、本発明を、樹脂を充填するときに発生するキャビティ空間内の圧力、前記キャビティ空間内の樹脂を圧縮する際の型締力によって発生するキャビティ空間内の圧力等によってスタンパ２９が膨張したり収縮したりする場合について適用することもできる。【００６１】
なお、本発明は前記実施の形態に限定されるものではなく、本発明の趣旨に基づいて種々変形させることが可能であり、それらを本発明の範囲から排除するものではない。
【産業上の利用可能性】
【００６２】
ディスク基板を成形するためのディスク成形金型に適用することができる。
【図１】
2005084910.tif 000002
【図２】
2005084910.tif 000003
【図３】
2005084910.tif 000004
【国際調査報告】
2005084910.tif 000005
2005084910.tif 000006